(57)【要約】      （修正有）【課題】ガスボンベの内部にある液化ガスの残量を見ることができ、全体の重量を軽量化できるガスボンベを提供する。【解決手段】その上部１１と底部１２とは円弧形を呈し、その上部の中央に開閉弁装置１３が設けられ、その内部には、ポリエチレンにより成形された中身層が設けられ、中身層の外面には、不飽和ポリエステル樹脂及びガラス繊維により構成される介在層１５が形成され、介在層の内部には、工場から出荷される日付を表示するＲＦＩＤラベルが設けられるガス貯蔵胴体１０と、耐衝撃樹脂により成形され、円筒状を呈し、ガス貯蔵胴体を覆い、多数の貫通孔が設けられ、その上縁に係合穴が多数設けられる保護スリーブ２０と、直径がより大きい底リング３２と、直径がより小さい上リング３１とを有し、底リングの内部には、係合穴２２と係合して連接する凸点が多数設けられ、底リングと上リングの間に透かし部３３が多数設けられる蓋とを含む。【選択図】図１
0003172202.tif 000002
【実用新案登録請求の範囲】
【請求項１】
その上部と底部とは円弧形を呈し、その上部の中央に開閉弁装置が設けられ、その内部には、ポリエチレン（ＰＥ）により成形された中身層が設けられ、前記中身層の外面には、不飽和ポリエステル樹脂及びガラス繊維により構成される介在層が形成され、前記介在層の内部には、工場から出荷される日付を表示するＲＦＩＤラベルが設けられるガス貯蔵胴体と、
耐衝撃樹脂により成形され、円筒状を呈し、前記ガス貯蔵胴体を覆い、多数の貫通孔が設けられ、その上縁に係合穴が多数設けられる保護スリーブと、
直径がより大きい底リングと、直径がより小さい上リングと、を有し、前記底リングの内部には、前記係合穴と係合して連接する凸点が多数設けられ、前記底リングと前記上リングの間に透かし部が多数設けられ、前記透かし部により前記上リング部分にハンドルが構成され、前記透かし部のうちの１つは前記上リングを超えて欠け口を形成する蓋と、
を含むことを特徴とするガスボンベ。
【請求項２】
前記開閉弁装置は、台座と、連接具と、開閉弁と、を結合して構成され、前記台座は、金属を埋め込んでポリエチレン（ＰＥ）を射出成形して構成されるものであり、前記中身層の上端にある開口と完全に気密するように結合するベース部と、前記連接具と螺合する外ねじ付きチューブ部と、を有することを特徴とする、請求項１に記載のガスボンベ。
【請求項３】
前記介在層の外面には、透明なペイントが塗装されていることを特徴とする、請求項１に記載のガスボンベ。
【請求項４】
前記蓋の前記上リングの上面には、Ｃリングが嵌め設けられることを特徴とする、請求項１に記載のガスボンベ。
【考案の詳細な説明】
【技術分野】
【０００１】
本考案は、ガスボンベに関し、特に、ガス貯蔵胴体の内部には、ポリエチレン（ＰＥ）により成形された中身層が設けられ、中身層の外面には、不飽和ポリエステル樹脂及びガラス繊維により構成される介在層が形成されるため、ガスボンベの内部にある液化ガスの残量を見ることができ、そして全体の重量を軽量化できるガスボンベに関するものである。
【背景技術】
【０００２】
液化ガスが充填されたガスボンベをユーザに送ることにより、ユーザは液化ガスを利用することが一般的である。
【０００３】
従来、貯蔵及び運輸の安全性のために、鋼製ガスボンベを使用することが一般的である。しかし、鋼製ガスボンベによれば、全体の重量が極めて重く、そして液化ガスの残量を見ることができないため、液化ガスの充填が不足であっても、ユーザは知ることができない。従来の鋼製ガスボンベの作製日付は、鋼製ガスボンベの外面に印刷され、又はラベルを貼り付けられるため、作製日付を偽造することが容易である。
【考案の概要】
【考案が解決しようとする課題】
【０００４】
本考案の主な目的は、ガス貯蔵胴体の内部には、ポリエチレン（ＰＥ）により成形された中身層が設けられ、中身層の外面には、不飽和ポリエステル樹脂及びガラス繊維により構成される介在層が形成されるため、ガスボンベの内部にある液化ガスの残量を見ることができ、そして全体の重量を軽量化できるガスボンベを提供することにある。
【課題を解決するための手段】
【０００５】
本考案のガスボンベによると、その上部と底部とは円弧形を呈し、その上部の中央に開閉弁装置が設けられ、その内部には、ポリエチレン（ＰＥ）により成形された中身層が設けられ、中身層の外面には、不飽和ポリエステル樹脂及びガラス繊維により構成される介在層が形成され、介在層の内部には、工場から出荷される日付を表示するＲＦＩＤラベルが設けられるガス貯蔵胴体と、
耐衝撃樹脂により成形され、円筒状を呈し、ガス貯蔵胴体を覆い、多数の貫通孔が設けられ、その上縁に係合穴が多数設けられる保護スリーブと、
直径がより大きい底リングと、直径がより小さい上リングと、を有し、底リングの内部には、係合穴と係合して連接する凸点が多数設けられ、底リングと上リングの間に透かし部が多数設けられ、透かし部により上リング部分にハンドルが構成され、透かし部のうちの１つは上リングを超えて欠け口を形成する蓋と、
を含むことを特徴とする。
【０００６】
本考案のガスボンベによると、開閉弁装置は、台座と、連接具と、開閉弁と、を結合して構成され、台座は、金属を埋め込んでポリエチレン（ＰＥ）を射出成形して構成されるものであり、中身層の上端にある開口と完全に気密するように結合するベース部と、連接具と螺合する外ねじ付きチューブ部と、を有することを特徴とする。
【０００７】
本考案のガスボンベによると、介在層の外面には、透明なペイントが塗装されていることを特徴とする。
【０００８】
本考案のガスボンベによると、蓋の上リングの上面には、Ｃリングが嵌め設けられることを特徴とする。
【考案の効果】
【０００９】
本考案のガスボンベによれば、次のような効果がある。
（１）見栄えが良くなり、液化ガスの残量を見ることができるため、液化ガスの充填が不足である場合には、ユーザは即時に知ることができる。
【００１０】
（２）軽量化されたため、運輸が楽となる。
【００１１】
（３）本考案のガスボンベの介在層は不飽和ポリエステル樹脂及びガラス繊維により構成され、熱伝導係数が低いため、高温環境ではガスボンベが爆発しない。
【００１２】
（４）介在層の内部には、工場から出荷される日付を表示するＲＦＩＤラベルが設けられるため、ガスボンベの製造期日及び生産データを追跡でき、そしてＲＦＩＤラベルを容易に除去し、又は偽造できないため、ガスボンベの管理が便利となる。
【図面の簡単な説明】
【００１３】
【図１】本考案の一実施例の分解斜視図であり、Ａは本考案の蓋の別の視点から見た斜視図である。
【図２】本考案の一実施例の組合済み状態を示す斜視図である。
【図３】本考案の一実施例の断面図である。
【考案を実施するための形態】
【００１４】
以下、本考案の実施の形態を図面に基づいて説明する。
まず、図１及び図２を参照する。本考案の一実施例のガスボンベは、ガス貯蔵胴体１０と、保護スリーブ２０と、蓋３０と、から構成される。
【００１５】
ガス貯蔵胴体１０は、その上部１１と底部１２とが円弧形を呈し、その上部１１の中央に開閉弁装置１３が設けられる。図３に示すように、ガス貯蔵胴体１０の内部には、ポリエチレン（ＰＥ）により成形された中身層１４が設けられる。中身層１４の外面には、不飽和ポリエステル樹脂及びガラス繊維により構成される介在層１５が形成される。介在層１５の内部には、工場から出荷される日付を表示するＲＦＩＤラベル（図示せず）が設けられる。介在層１５の外面には、透明なペイントが塗装されている。
【００１６】
開閉弁装置１３は、台座１３１と、連接具１３２と、開閉弁１３３と、を結合して構成される。台座１３１は、金属を埋め込んでポリエチレン（ＰＥ）を射出成形して構成されるものである。開閉弁装置１３は、中身層１４の上端にある開口１４１と完全に気密するように結合するベース部１３１ａと、連接具１３２と螺合する外ねじ付きチューブ部１３１ｂと、を有する。
【００１７】
保護スリーブ２０は、耐衝撃樹脂により成形され、円筒状を呈し、ガス貯蔵胴体１０を覆い、多数の貫通孔２１が設けられる。保護スリーブ２０の上縁に係合穴２２が多数設けられる。
【００１８】
蓋３０は、直径がより大きい底リング３２と、直径がより小さい上リング３１と、を有する。図１のＡに示すように、底リング３２の内部には、係合穴２１と係合して連接する凸点３２１が多数設けられる。底リング３２と上リング３１の間に透かし部３３が多数設けられる。透かし部３３により上リング部分３１１にハンドルが構成される。透かし部３３のうちの１つは、上リング３１を超えて、上リング３１に欠け口３１２を形成する。欠け口３１２により、ユーザの手が開閉弁１３３を操作できる。上リング３１の上面には、Ｃリング３４が嵌め設けられる。
【産業上の利用可能性】
【００１９】
本考案は、ガスボンベに適用することができる。
【符号の説明】
【００２０】
１０：ガス貯蔵胴体
１１：上部
１２：底部
１３：開閉弁装置
１４：中身層
１５：介在層
２０：保護スリーブ
２１：貫通孔
２２：係合穴
３０：蓋
３１：上リング
３２：底リング
３３：透かし部
３４：Ｃリング
１３１：台座
１３１ａ：ベース部
１３１ｂ：外ねじ付きチューブ部
１３２：連接具
１３３：開閉弁
１４１：開口
３１１：上リング部分
３１２：欠け口
３２１：凸点
【図１】
0003172202.tif 000003
【図２】
0003172202.tif 000004
【図３】
0003172202.tif 000005